(57)【特許請求の範囲】
【請求項１】
入力画像データに対して複数の画像処理を施す画像データ処理装置であって、前記画像処理として裏写り補正処理を行う裏写り補正部と、前記裏写り補正部から出力される裏写り補正後の画像データからエッジ量を算出するエッジ量算出部と、前記裏写り補正部で求めた裏写り特徴量に応じて、前記エッジ量算出部で算出したエッジ量を変換し、補正後エッジ量として出力するエッジ量補正部とを有し、前記エッジ量補正部で出力された補正後エッジ量に基づいて、前記入力画像データにエッジ強調処理を施す制御を行うことを特徴とする画像データ処理装置。
【請求項２】
請求項１に記載の画像データ処理装置において、前記裏写り特徴量は、前記入力画像データに前処理結果と、この前処理結果の出力画像に裏写り補正した処理結果との差分とすることを特徴とする画像データ処理装置。
【請求項３】
入力画像データに対して複数の画像処理を施す画像データ処理方法であって、前記画像処理として裏写り補正処理を行い、この裏写り補正処理で出力される裏写り補正後の画像データからエッジ量を算出し、この裏写り補正処理で求めた裏写り特徴量に応じて、前記エッジ量算出部で算出したエッジ量を変換して、補正後エッジ量として出力し、前記補正後エッジに基づいて、前記入力画像データにエッジ強調処理を施す制御を行うことを特徴とする画像データ処理方法。
【請求項４】
請求項３に記載の画像データ処理方法において、前記裏写り特徴量は、前記入力画像データに前処理結果と、この前処理結果の出力画像に裏写り補正した処理結果との差分とすることを特徴とする画像データ処理方法。
【請求項５】
コンピュータを、請求項１または２に記載の画像データ処理装置として機能させるためのプログラム。
【請求項６】
請求項５に記載のプログラムを記録したコンピュータ読み取り可能な記録媒体。
【発明の詳細な説明】
【０００１】
【発明の属する技術分野】
本発明は、画像データ処理装置、画像データ処理方法、プログラムおよび記録媒体に関し、具体的には、裏写りのあるような入力画像でも品質のよい出力画像を得るための技術であり、カラーデジタル複写機に応用して好適である。
【０００２】
【従来の技術】
一般に、両面に印刷がなされた原稿をカラー複写機で複写する場合、その入力画像には表面の画情報だけでなく、裏面の画像が透けて、表面の画情報の中に混ざった「裏写り」が生じた状態となる。このような裏写りが生じた画像データに対して標準の画像処理を施し、紙に出力した場合、裏写り部分が混在して再現されることとなり、本来の表面の画像だけの出力を得ることができない。
例えば、裏写りした文字に対してもエッジ強調がなされるため、表面の色の薄い絵柄部や色の薄い下地部などで、特に裏写りした画像が目立つことになってしまった。
これを防ぐためにエッジ強調を弱くすると、表面の画像の鮮鋭性が劣化してしまい、また、薄い色を再現しないようにすれば裏写りも目立たなくなるが、同時に表面の画像の色が薄い部分も再現されなくなる。
【０００３】
本出願人は、特開２００１−１６９０８０号、特願平１３−８８７３３号および特願平１３−４７２１７号で裏写り補正技術を出願している。
この特開２００１−１６９０８０号公報の発明は、エッジ強度から裏写り成分を推定し、背景色（紙の色または表面背景画の色）の推定を行い、この裏写り部分を推定した背景色で置き換えることによって裏写り成分を除去している。
また、特願平１３−８８７３３号の発明は、色成分の２値化結果を利用して裏写り成分を検出している。
また、特願平１３−４７２１７号の発明は、裏写りした画像データと背景色で置き換えた画像データとの差分データを使って、過剰補正を防いでいる。
以上のような裏写り補正を行うことによって、表面の画像の再現性を損なわずに裏面から透過した画像を抑制した画像データを生成することが可能となる。
【０００４】
【発明が解決しようとする課題】
しかし、従来のカラー複写機における画像処理は、入力画像データを対象としているため、一旦裏写り補正された画像データを扱うには適していない場合がある。
例えば、上述のような裏写り補正処理によって裏面の画像を抑制できても、表面の画像が複雑な場合には、裏面の画像の影響を完全に排除することは難しい。
したがって、裏写り補正処理した後、若干残った裏写り成分に対して、従来通りのエッジ強調処理を行うと、その残った裏写り成分が強調され、裏写りの目立つ出力となってしまった。
【０００５】
本発明は、上述のような実情を考慮してなされたものであり、従来の裏写り補正処理で求められた特徴量を利用してエッジ強調等の画像処理を制御して、裏写りの目立たない出力を得る画像データ処理装置、画像データ処理方法、画像データ処理装置の機能を実行するためのプログラムおよびそのプログラムを記録したコンピュータ読み取り可能な記録媒体を提供することを目的とする。
また、本発明の他の目的は、従来、裏写りによる異常画像を抑制するための制限を緩和したエッジ強調等を行える画像データ処理装置、画像データ処理方法、画像データ処理装置の機能を実行するためのプログラムおよびそのプログラムを記録したコンピュータ読み取り可能な記録媒体を提供するものである。
【０００６】
【課題を解決するための手段】
上記課題を解決するために、本発明の請求項１の画像データ処理装置は、入力画像データに対して複数の画像処理を施す画像データ処理装置であって、前記画像処理として裏写り補正処理を行う裏写り補正部と、前記裏写り補正部から出力される裏写り補正後の画像データからエッジ量を算出するエッジ量算出部と、前記裏写り補正部で求めた裏写り特徴量に応じて、前記エッジ量算出部で算出したエッジ量を変換し、補正後エッジ量として出力するエッジ量補正部とを有し、前記エッジ量補正部で出力された補正後エッジ量に基づいて、前記入力画像データにエッジ強調処理を施す制御を行うことを特徴とする。
また、本発明の請求項２は、請求項１に記載の画像データ処理装置において、前記裏写り特徴量は、前記入力画像データに前処理結果と、この前処理結果の出力画像に裏写り補正した処理結果との差分とすることを特徴とする。
【０００７】
また、本発明の請求項３の画像データ処理方法は、入力画像データに対して複数の画像処理を施す画像データ処理方法であって、前記画像処理として裏写り補正処理を行い、この裏写り補正処理で出力される裏写り補正後の画像データからエッジ量を算出し、この裏写り補正処理で求めた裏写り特徴量に応じて、前記エッジ量算出部で算出したエッジ量を変換して、補正後エッジ量として出力し、前記補正後エッジに基づいて、前記入力画像データにエッジ強調処理を施す制御を行うことを特徴とする。
また、本発明の請求項４は、請求項３に記載の画像データ処理方法において、前記裏写り特徴量は、前記入力画像データに前処理結果と、この前処理結果の出力画像に裏写り補正した処理結果との差分とすることを特徴とする。
また、本発明の請求項５のプログラムは、コンピュータを、請求項１または２に記載の画像データ処理装置として機能させるためのプログラムである。
また、本発明の請求項６の記録媒体は、請求項５に記載のプログラムを記録したコンピュータ読み取り可能な記録媒体である。
【０００８】
以上のような構成によって、裏写りを生じるような原稿であっても、裏写りの抑制されたコピー出力を得ることができる。
また、裏写りによる異常画像を抑えるための制限が不要となるため、本来の画像処理機能が発揮され、裏写りのない部分においても画質の向上がはかれる。
【０００９】
【発明の実施の形態】
以下、図面を参照しながら本発明の実施形態について説明する。
【００１０】
＜実施形態１＞
図１は、実施形態１の画像データ処理装置の機能構成を示すブロック図である。
図１において、実施形態１の画像データ処理装置は、カラー入力部１０１、裏写り補正部１０２、平滑化フィルタ１０３、エッジ量算出部１０４、エッジ量補正部１０５、適応エッジ強調部１０６、色補正／墨生成部１０７、適応下色除去部１０８、プリンタγ変換部１０９、中間調処理部１１０、カラー出力部１１１からなっている。
カラー入力部１０１は、ＣＣＤ（Charged Coupled Device）素子を用いて、原稿を読み取り、Ａ／Ｄ変換した後、読み取られた画素ごとに８ｂｉｔの画像データをＲ（レッド）、Ｇ（グリーン）、Ｂ（ブルー）の３色の画像信号として画像データ（Ｉｉｎ）を出力する。ここで図１には示していないが、カラー入力装置１０１においては各ＣＣＤ素子から得られた画像信号にシェーディング補正やγ補正などの前処理を適宜行うものとする。
【００１１】
裏写り補正部１０２は、特開２００１−１６９０８０号公報、特願平１３−４７２１７号明細書および特願平１３−８８７３３号明細書に記載された方法を用いて裏写りの補正処理を行う。図２は、この裏写り補正部１０２の機能構成を示すブロック図である。
【００１２】
前処理部２０１は、カラー入力部１０１で入力された画像データ（Ｉｉｎ）に対して縮小処理および平滑化処理を行う。
この縮小処理は、例えば、６００ｄｐｉで入力されたＲＧＢデータを２×２画素の平均値を取ることによって３００ｄｐｉ相当に縮小する。また、平滑化処理は、平滑化フィルタ（例えば、図３参照）を用いて、縮小された画像データをフィルタリングする。
前処理部２０１から出力された画像データ（Ｉ２）は、エッジ検出部２０２、カラー成分２値化部２０３、補正部２０４および補正量算出部２０５に送られる。
エッジ検出部２０２は、画像データ（Ｉ２）に対して特開２００１−１６９０８０号公報記載のエッジ検出処理を行い、検出結果（Ｅｔ）を出力する。
カラー成分２値化部２０３は、画像データ（Ｉ２）に対して特願平１３−８８７３３号明細書に記載のカラー成分２値化処理を行い、結果（Ｂｔ）を出力する。
【００１３】
補正部２０４は、上記の各出力結果（Ｅｔ，Ｂｔ，Ｉ２）を入力し、特開２００１−１６９０８０号公報に記載の方法で表面を保護しつつ、背景色の推定を行い、裏面画像が混入している部分を推定した背景色で置き換え、この補正された画像データ（Ｉ３）を出力する。
補正量算出部２０５は、特願平１３−４７２１７号明細書に記載の方法で裏写り特徴量（Ｔ）を算出する。この裏写り特徴量（Ｔ）は、補正済の画像データ（Ｉ３）と前処理部２０１の出力である画像データ（Ｉ２）の差分である。
補正画像選択部２０６は、この特徴量（Ｔ）が所定のしきい値より大きければ、裏写り補正処理の誤りとみなして、入力画像データ（Ｉｉｎ）を出力する。また、補正画像選択部２０６は、この特徴量（Ｔ）が所定のしきい値より小さければ、補正済の画像データ（Ｉ３）を出力する。裏写り補正部１０２の出力画像データ（Ｉｏｕｔ）は、この補正画像選択部２０６から出力された画像データであり、平滑化フィルタ１０３およびエッジ量算出部１０４に送られる。また、裏写り特徴量（Ｔ）はエッジ量補正部１０５に送られる。
【００１４】
図１における平滑化フィルタ１０３は、裏写り補正部１０２から出力される裏写り補正後の画像データ（Ｉｏｕｔ）を平滑化フィルタ（図３参照）によってフィルタリングする。このフィルタリングにより、プリントアウトされる画像にモアレやテクスチャが発生することを防ぐことができる。
【００１５】
エッジ量算出部１０４は、裏写り補正部１０２から出力される裏写り補正後の画像データ（Ｉｏｕｔ）からエッジ量（Ｅ）を算出する。このエッジ量の算出には、例えば、特開２００１−１４４５８号公報に記載の方法を用いて処理する。
エッジ量算出部１０４で算出されたエッジ量（Ｅ）は、裏写り補正部１０２の出力する特徴量（Ｔ）と共にエッジ量補正部１０５に送られる。
【００１６】
エッジ量補正部１０５は、裏写り補正部１０２で求めた裏写り特徴量（Ｔ）に応じて、エッジ量算出部１０４で求めたエッジ量（Ｅ）を変換し、補正後エッジ量（ｍ）として出力し、適応エッジ強調部１０６に送られる。
この補正後エッジ量（ｍ）は、例えば、特徴量（Ｔ）の強度に応じて、エッジ量（Ｅ）を以下の式のように減算して求める。
ｍ＝Ｅ−α×Ｔ
ここでαは実験から求めた係数である。
または、実験から求めた非線形な変換を行う関数ｆ（）を用いて、
ｍ＝Ｅ―ｆ（Ｔ）
としてもよい。
【００１７】
図４は、このエッジ量補正部１０５で行われる補正について説明するためのグラフであって、横軸にはエッジ量算出部１０４で算出されたエッジ量（Ｅ）、縦軸にはエッジ量補正部１０５によって補正されて出力される補正後エッジ量（ｍ）を示している。また、図４中、破線で示した直線Ａは、比較のために制御信号を補正することなく出力した状態を示す直線である。
なお、図４中では、説明を簡単にするために入出力する信号を〔０，１〕で正規化している。
【００１８】
このような図４によれば、エッジ量補正部１０５の補正は、一次変換によって画像データの特徴量を補正するものである。また、エッジ量補正部１０５から適応エッジ強調部１０６に出力する補正後エッジ量（ｍ）は、エッジ量が狭い範囲で急峻に変化するように補正する制御信号であることから、エッジ強調部の処理にあってはエッジ量が狭い範囲で急峻に変化するように制御されることが分かる。
【００１９】
適応エッジ強調部１０６は、空間フィルタによって画像データを処理する構成であって、画像データにエッジ強調処理を施す際、所定の特徴量に基づいてエッジ強調の度合いを制御する。
図５は、適応エッジ強調部１０６の機能構成を示すブロック図である。図５において、適応エッジ強調部１０６は、エッジ強調フィルタ５０１と混合器５０２からなっている。
平滑化後の画像データ（Ｓ１）は、エッジ強調フィルタ５０１（例えば、図６参照）によってフィルタリングし、エッジ強調される。
混合器５０２は、平滑化後の画像データ（Ｓ１）とエッジ強調された画像データ（Ｓ２）に対し、エッジ量補正部１０５で生成された制御信号（補正後エッジ量（ｍ））に基づいて両者の混合比率を調整し（次式参照）、信号Ｓ３として出力する。
Ｓ３＝ｍ×Ｓ２＋（１−ｍ）×Ｓ１
【００２０】
以上の処理を行うことによって、エッジ強調すべき文字部分と、エッジ強調を抑制すべき背景部分とに適したエッジ強調がなされる。
また、入力画像データに裏写りがある場合でも、裏写り補正部１０２によって裏写り補正がなされ、さらに補正された部分において不要なエッジ強調が抑制されるため、裏写り補正部１０２で残った裏写り画像から引き起こる異常画像の発生を抑制することができる。
【００２１】
色補正／墨生成部１０７は、適応エッジ強調部１０６で処理された画像データ（Ｓ３）に色補正を施し、その結果に対して墨生成を行ってＣ、Ｍ、Ｙ、Ｋの色データを生成する。
色補正／墨生成部１０７は、先ず、マスキング方式によって適応エッジ強調部１０６で処理された画像データ（Ｓ３）に対して、カラー入力装置（スキャナ）での色分解フィルタやインクの濁り成分を除去する色補正を施す。
この色補正には、マスキング方式が一般に用いられる。このマスキング方式では、Ｒ、Ｇ、Ｂの画像データを以下の式によってＣ（シアン）、Ｍ（マゼンタ）、Ｙ（イエロー）の色データに置き換える。
Ｃ＝ｋ１１×Ｒ＋ｋ１２×Ｇ＋ｋ１３×Ｂ＋ｋ１４
Ｍ＝ｋ２１×Ｒ＋ｋ２２×Ｇ＋ｋ２３×Ｂ＋ｋ２４
Ｙ＝ｋ３１×Ｒ＋ｋ３２×Ｇ＋ｋ３３×Ｂ＋ｋ３４
ここで、ｋ１１〜ｋ３４は実験によって決定された係数である。
次に、上記式により決定されたＣ、Ｍ、Ｙの色データから、次の式でＫ（黒）の色データを作成する（墨生成）。
Ｋ＝ｍｉｎ（Ｃ、Ｍ、Ｙ）
【００２２】
適応下色除去部１０８は、色補正／墨生成部１０７で生成されたＣ、Ｍ、Ｙ、Ｋの色データに基づいて、以下の式によって下色除去量を調整した色データ（Ｃ１，Ｍ１，Ｙ１，Ｋ１）を求める。
Ｋ１＝β×Ｋ
Ｃ１＝Ｃ−Ｋ１
Ｍ１＝Ｍ−Ｋ１
Ｙ１＝Ｙ−Ｋ１
なお、βは画像の特徴量を反映する係数であり、エッジ量算出部１０４で求めたエッジ量（Ｅ）に基づく値でもよいし、適応下色除去部１０８内で独自に求めたエッジ量に基づく値でもよい。
【００２３】
プリンタγ変換部１０９は、下色除去の処理が施された画像データ（Ｃ１，Ｍ１，Ｙ１，Ｋ１）をプリンタの特性に合わせてテーブル変換する。この時、地肌を除去する処理やコントラストを強くする処理を施すようにしてもよい。
【００２４】
中間調処理部１１０は、プリンタγ変換部１０９で処理されたγ変換後のデータをディザ処理や誤差拡散法によって画像の中間調を再現するように画像データを処理する。この画像データを信号として出力することによって、カラー出力装置を制御する。
【００２５】
カラー出力部１１１は、中間調処理部１１０から出力された画像データ信号にしたがって駆動し、画像を面順次にカラー出力装置へプリントアウトする。
【００２６】
以上述べた構成では、面順次でカラー画像を形成していて、画像データは、色補正／墨生成部１０７までＲ、Ｇ、Ｂの３信号として入力している。その後、適応下色除去部１０８まではＫ（黒）の画像データとＲ、Ｇ、Ｂのいずれか一色との２信号がプリンタγ変換部１０９に入力し、以降は１回にプリントアウトされる画像データが１信号ずつ流れていくようになっている。
【００２７】
次に、実施形態１の画像データ処理装置の動作について説明する。
図７は、実施形態１の画像データ処理手順を示すフローチャートである。
ＣＣＤ（Charged Coupled Device）素子を用いて、原稿を読み取り、Ａ／Ｄ変換した後、読み取られた画素ごとに８ｂｉｔの画像データをＲ（レッド）、Ｇ（グリーン）、Ｂ（ブルー）の３色の画像信号からなる画像データ（Ｉｉｎ）として出力する（ステップＳ１０）。ここで各ＣＣＤ素子から得られた画像信号にシェーディング補正やγ補正などの前処理を適宜行うものとする。
【００２８】
この入力された画像データ（Ｉｉｎ）に対して裏写りの補正処理を行う（ステップＳ１１）。この裏写りの補正処理では、裏写り補正後の画像データ（Ｉｏｕｔ）と裏写り特徴量（Ｔ）が求められる。詳細は後述する（図８参照）。
【００２９】
特開２００１−１４４５８号公報に記載の方法で、この裏写り補正後の画像データ（Ｉｏｕｔ）からエッジ量（Ｅ）を算出し、裏写り補正処理で求めた裏写り特徴量（Ｔ）とエッジ量（Ｅ）とから、次式を用いて、補正後エッジ量（ｍ）を求める（ステップＳ１２）。
ｍ＝Ｅ−α×Ｔ
ここでαは実験から求めた係数である。
または、実験から求めた非線形な変換を行う関数ｆ（）を用いて、
ｍ＝Ｅ―ｆ（Ｔ）
としてもよい。
【００３０】
また、裏写り補正後の画像データ（Ｉｏｕｔ）は、平滑化フィルタ（図３参照）によってフィルタリングされる（ステップＳ１３）。
【００３１】
次に、平滑化後の画像データに対して適応エッジ強調処理を行う（ステップＳ１４）。
これは、平滑化後の画像データ（Ｓ１）に対して、エッジ強調フィルタ（例えば、図６参照）によりエッジ強調した画像データ（Ｓ２）を生成する。
また、平滑化後の画像データ（Ｓ１）とエッジ強調された画像データ（Ｓ２）に対し、補正後エッジ量（ｍ）に基づいて両者の混合比率を調整し（次式参照）、信号Ｓ３として出力する。
Ｓ３＝ｍ×Ｓ２＋（１−ｍ）×Ｓ１
【００３２】
適応エッジ強調処理された画像データ（Ｓ３）に色補正を施し、その結果に対して墨生成を行ってＣ、Ｍ、Ｙ、Ｋの色データを生成する（ステップＳ１５）。先ず、マスキング方式によって適応エッジ強調処理された画像データ（Ｓ３）に対して、カラー入力装置（スキャナ）での色分解フィルタやインクの濁り成分を除去する色補正を施す。
この色補正には、マスキング方式が一般に用いられる。このマスキング方式では、Ｒ、Ｇ、Ｂの画像データをＣ（シアン）、Ｍ（マゼンタ）、Ｙ（イエロー）の色データに置き換え、このＣ、Ｍ、Ｙの色データからＫ（黒）の色データを作成する。
【００３３】
上記の生成されたＣ、Ｍ、Ｙ、Ｋの色データに基づいて、下色除去量を調整した色データ（Ｃ１，Ｍ１，Ｙ１，Ｋ１）を求める（ステップＳ１６）。
下色除去の処理が施された画像データ（Ｃ１，Ｍ１，Ｙ１，Ｋ１）をプリンタの特性に合わせてテーブル変換する（ステップＳ１７）。この時、地肌を除去する処理やコントラストを強くする処理を施すようにしてもよい。
【００３４】
プリンタの特性に合わせてγ変換した後のデータをディザ処理や誤差拡散法によって画像の中間調を再現するように処理する（ステップＳ１８）。
この中間調処理された画像データにしたがって駆動し、画像を面順次にカラー出力装置へプリントアウトする（ステップＳ１９）。
【００３５】
次に、図８のフローチャートを用いて裏写り補正処理の動作を説明する。
入力された画像データ（Ｉｉｎ）に対して縮小処理および平滑化処理の前処理を行う（ステップＳ２１）。この縮小処理は、例えば、６００ｄｐｉで入力されたＲＧＢデータを２×２画素の平均値を取ることによって３００ｄｐｉ相当に縮小する。また、平滑化処理は、平滑化フィルタ（例えば、図３参照）を用いて、縮小された画像データをフィルタリングする。
このフィルタリングされた画像データ（Ｉ２）に、特開２００１−１６９０８０号公報記載のエッジ検出処理を行って、検出結果（Ｅｔ）を出力する（ステップＳ２２）。
また、フィルタリングされた画像データ（Ｉ２）に、特願平１３−８８７３３号明細書に記載のカラー成分２値化処理を行って、結果（Ｂｔ）を出力する（ステップＳ２３）。
【００３６】
上記の各出力結果Ｅｔ，Ｂｔ，Ｉ２を入力し、特開２００１−１６９０８０号公報に記載の方法で背景色の推定を行い、推定した背景色によって、裏面画像が混入している部分を置き換え、この補正された画像データ（Ｉ３）を出力する（ステップＳ２４）。
補正済の画像データ（Ｉ３）と前処理された画像データ（Ｉ２）の差分を求め、その差分を裏写り特徴量（Ｔ）とする（ステップＳ２５）。
【００３７】
この特徴量（Ｔ）の値に応じて、入力画像データ（Ｉｉｎ）と補正済の画像データ（Ｉ３）とを選択して、裏写り補正処理結果の画像データとして出力する（ステップＳ２６）。この選択は、特徴量（Ｔ）が所定のしきい値より大きければ、裏写り補正処理の誤りとみなして、入力画像データ（Ｉｉｎ）を出力し、特徴量（Ｔ）が所定のしきい値より小さければ、補正済の画像データＩ３を出力して補正後の出力画像データ（Ｉｏｕｔ）とする。
【００３８】
＜実施形態２＞
次に、本発明の実施形態２の画像データ処理装置について説明する。
図９は、実施形態２の画像データ処理装置の機能構成を示すブロック図である。図１０は、裏写り特徴検出部９０２の機能構成を示すブロック図である。
なお、図９では、図１で示した機能と同様のものについては同じ符号を付し、その説明を省略するものとする。図１０では、図２で示した機能と同様のものについては同じ符号を付し、その説明を省略するものとする。
【００３９】
本実施形態２においては、実施形態１で使用した裏写り補正画像データを使用せず、カラー入力部１０１で入力処理された画像データ（Ｉｉｎ）に対して裏写り特徴検出部９０２で検出した裏写り特徴量（Ｔ）のみを使用することにより、裏写り補正の誤りに起因する異常画像の発生を除き、過剰なエッジ強調を抑制する。このようにして、裏写り補正をしなくても、最終出力における裏写りの見た目を抑制している。
【００４０】
＜プログラムとしての実施形態＞
図１１は、本発明を利用した画像データ処理装置を構成するハードウェアの模式図である。
本実施形態において、先ず、上述した実施形態の各機能をプログラム化してＲＯＭ１００７へ格納しておく。その上で、このＲＯＭ１００７に蓄積されたプログラムをＣＰＵ１００５が読み出して実行することによって、本発明の各機能が実行される。
【００４１】
各機能が実行されると、スキャナ、デジタルカメラ等の画像入力機器１００１から入力されたカラー画像をＲＡＭ１００６に蓄積し、ＲＡＭ１００６から読み出されて、一連の処理の結果として裏写り補正された画像が生成され、プリンタ、カラーデジタル複写機等の画像出力機器１００４に出力される。
また、この処理の途中経過や途中結果は、ディスプレイ等の表示装置１００２を通してユーザに提示され、必要な場合には、キーボードやタッチパネルのような入力装置１００３からユーザが処理に必要なパラメータを入力する。処理の実行中に作られる中間データもＲＡＭ１００６に蓄積され、必要に応じて、ＣＰＵ１００５によって読み出し、修正・書き込みが行われる。
【００４２】
尚、上記ではプログラムの記録媒体をＲＯＭ１００７としているが、他の記録媒体、例えば、半導体媒体（例えば、不揮発性のメモリカード等）、光媒体（例えば、ＤＶＤ−ＲＯＭ、ＭＯ、ＭＤ、ＣＤ−Ｒ等）、磁気媒体（例えば、磁気テープ、フレキシブルディスク等）のいずれであってもよい。
【００４３】
このように、プログラムコードを格納した記録媒体（ＲＯＭ１００７）から読出されたプログラムコード自体が上述した実施形態の機能を実現することになり、そのプログラムコードおよびそのコードを記憶した記録媒体も本発明を構成することになる。
【００４４】
また、上述したプログラムコードをサーバコンピュータの磁気ディスク等の記憶装置に格納しておき、ネットワークで接続されたユーザのコンピュータからダウンロードさせたり、またサーバコンピュータから配信等の形式で頒布する場合、このサーバコンピュータの記憶装置も本発明の記録媒体に含まれる。
【００４５】
【発明の効果】
以上説明したように本発明によれば、裏写りを生じるような原稿であっても、裏写りの抑制されたコピー出力を得ることができる。
また、裏写りによる異常画像を抑えるための制限が不要となるため、本来の画像処理機能が発揮され、裏写りのない部分においても画質の向上がはかれる。
【図面の簡単な説明】
【図１】  実施形態１の画像データ処理装置の機能構成を示すブロック図である。
【図２】  裏写り補正部の機能構成を示すブロック図である。
【図３】  平滑化フィルタの例を示す図である。
【図４】  エッジ量補正部で行われる補正について説明するための図である。
【図５】  適応エッジ強調部の機能構成を示すブロック図である。
【図６】  エッジ強調フィルタの例を示す図である。
【図７】  実施形態１の画像データ処理手順を示すフローチャートである。
【図８】  裏写り補正処理の処理手順を示すフローチャートである。
【図９】  実施形態２の画像データ処理装置の機能構成を示すブロック図である。
【図１０】  裏写り特徴検出部の機能構成を示すブロック図である。
【図１１】  本発明を利用した画像データ処理装置を構成するハードウェアの模式図である。
【符号の説明】
１０１…カラー入力部、１０２…裏写り補正部、１０３…平滑化フィルタ、１０４…エッジ量算出部、１０５…エッジ量補正部、１０６…適応エッジ強調部、１０７…色補正／墨生成部、１０８…適応下色除去部、１０９…プリンタγ変換部、１１０…中間調処理部、１１１…カラー出力部、２０１…前処理部、２０２…エッジ検出部、２０３…カラー成分２値化部、２０４…補正部、２０５…補正量算出部、２０６…補正画像選択部、５０１…エッジ強調フィルタ、５０２…混合器、９０２…裏写り特徴検出部、１００１…画像入力機器、１００２…表示装置、１００３…入力装置、１００４…画像出力機器、１００５…ＣＰＵ、１００６…ＲＡＭ、１００７…ＲＯＭ。
【図１】
0003998475.tif 000002
【図２】
0003998475.tif 000003
【図３】
0003998475.tif 000004
【図４】
0003998475.tif 000005
【図５】
0003998475.tif 000006
【図６】
0003998475.tif 000007
【図７】
0003998475.tif 000008
【図８】
0003998475.tif 000009
【図９】
0003998475.tif 000010
【図１０】
0003998475.tif 000011
【図１１】
0003998475.tif 000012